(57)【特許請求の範囲】
【請求項１】
ヘッド部に刃台と天板とを有し、刃台と天板との間に平行な複数の刃を設けた安全カミソリであって、振動発生装置によって振動する、刃と平行な板状の髭滓除去部材を備え、該髭滓除去部材を隣合う刃と刃の間に設けると共に該髭滓除去部材の先端部を隣合う刃の刃先と刃先の間に配置し、上記髭滓除去部材の振動方向を刃の厚み方向と平行に設定して成ることを特徴とする安全カミソリ。
【発明の詳細な説明】
【０００１】
【発明の属する技術分野】
本発明は、刃台と天板との間に入った髭滓等の汚れを除去できる安全カミソリに関するものである。
【０００２】
【従来の技術】
従来から、図１３、図１４に示すような安全カミソリが知られている。この従来の安全カミソリは把持部９′を有するハウジング３０と、ハウジング３０の上端部に設けたヘッド部１′とで構成されており、ヘッド部１′は刃台２′と天板３′とを有している。刃台２′と天板３′との隙間には先端に刃先を有する刃４が平行に２枚設けられており、刃４と刃４、刃４と刃台２′、刃４と天板３′との間には隙間が形成されている。ハウジング３０にはヘッド部１全体を振動させるモータ１０が設けられている。図中１１はモータ１０を駆動するための電池である。
【０００３】
上記従来の安全カミソリはヘッド部１′を皮膚表面に当て、スライドさせることで皮膚を刃で傷付けることなく安全に髭を処理することができる。
【０００４】
ところでこのように髭剃りをした後は、刃４と刃４、刃４と刃台２′、刃４と天板３′との間の隙間に髭滓や、皮膚の角質、皮脂等の肌の汚れ（以下髭滓等の汚れ）が入り込んでしまい、さらにこの入り込んだ髭滓等の汚れは刃４の表裏面に付着してしまう。上記従来の安全カミソリでは、この髭滓等の汚れを除去する場合は、ヘッド部１′を水中に浸し、ヘッド部１′をモータ１０によって振動させることで、刃４を振動させ、刃４に付着した髭滓等の汚れを除去していた。
【０００５】
しかしながら、上記従来の安全カミソリはモータ１０によってヘッド部１全体を振動させなければならないため、刃４をあまり振動させることができず、刃４に付着した髭滓等の汚れを十分に除去できないという問題があった。
【０００６】
また上記とは別に、２枚の刃４の間に刃４に沿って摺動する移動片を設けた安全カミソリも知られている（図示せず）。この従来の安全カミソリの移動片は使用者が手動で刃４の上下面と平行且つ先端側に向かって移動できるように設定しており、使用者は手動で移動片を動かして刃４と刃４の間に溜まった髭滓等の汚れをヘッド部１′から押し出していた。しかし、この場合、移動片を手動で動かさなければならず手間がかかってしまうという問題があった。また移動片は刃４の刃先を除いた表裏面にのみ付着した汚れを除去することしかできないため、刃先に付着した髭滓等の汚れを除去することができなかった。
【０００７】
【発明が解決しようとする課題】
本発明は上記の点に鑑みてなされたものであり、その目的とするところは、簡単に刃についた髭滓等の汚れを除去でき、且つ刃に付着した髭滓等の汚れを完全に除去できる安全カミソリを提供することを課題とするものである。
【０００８】
【課題を解決するための手段】
上記課題を解決するために本発明に係る安全カミソリは、ヘッド部１に刃台２と天板３とを有し、刃台２と天板３との間に平行な複数の刃４を設けた安全カミソリであって、振動発生装置によって振動する、刃４と平行な板状の髭滓除去部材５を備え、該髭滓除去部材５を隣合う刃４と刃４の間に設けると共に該髭滓除去部材５の先端部を隣合う刃４の刃先と刃先の間に配置し、上記髭滓除去部材５の振動方向を刃４の厚み方向と平行に設定して成ることを特徴とするものである。
【０００９】
このように構成することで、ヘッド部１を水洗いする際に、ヘッド部１を水中に浸し髭滓除去部材５を振動させるだけで刃４付近の水を振動させ且つ対流させて攪拌することができ、これによって刃４に付着した髭滓等の汚れを除去することができる。また振動発生装置はヘッド部１を振動させず髭滓除去部材５のみを振動させるので、振動発生装置から伝わる振動を損失なく水に伝達して攪拌することができ、刃４の上下面や刃先６に付着した髭滓等の汚れを除去することができる。また、髭滓除去部材５を刃４と平行な板状に形成し、髭滓除去部材５を刃４の厚み方向と平行に振動させることで、髭滓除去部材５の最も面積の広い面で効率良く水を攪拌させることができる。
【００１０】
【発明の実施の形態】
以下、本発明を添付図面に示す実施形態に基づいて説明する。
【００１１】
本実施形態における安全カミソリは図１に示すように、把持部９と、把持部９の上端部に設けられた側断面略コ字状のヘッド部１とで形成されている。
【００１２】
把持部９の内部には後述するモータ１０と把持部９に内装した電池１１とを接続するスイッチ回路１２が設けられており、このスイッチ回路１２は例えば把持部９の表面に設けた操作部（図示せず）に接続されており、操作部にてモータ１０のＯＮ、ＯＦＦを切り替えられるようになっている。
【００１３】
ヘッド部１は図２に示すように下端部を把持部９に接続したモータ保持部１３を有しており、モータ保持部１３にはモータ１０が内装されている。
【００１４】
モータ保持部１３の上部には天板３が突出しており、モータ保持部１３の下部には天板３と同一方向に突出し且つ先端が天板３の先端よりも突出する刃台２が設けられている。天板３と刃台２の先端部上面は先端側に行く程下方に傾斜しており、この傾斜した面を髭を剃る際に肌を当てる肌当て面１４としている。天板３と刃台２との幅方向の両端部は側板１５によって接続されており、両側板１５と刃台２と天板３とに囲まれた部分を肌当て面１４に開口する刃取付け部１６としている。
【００１５】
刃取付け部１６の上部と下部には互いに平行な２枚の刃４である上刃４ａと下刃４ｂとが設けられており、上刃４ａと下刃４ｂの刃先６の尖端は刃台２の肌当て面１４の上端と天板３の肌当て面１４の下端とを結ぶ線イ上付近に位置している。また刃取付け部１６の上部と下部の先端部には段部２２を形成しており、刃４と刃台２及び刃４と天板３との間に隙間を形成している。
【００１６】
上記上刃４ａと下刃４ｂの間には合成樹脂で成形された板状の髭滓除去部材５を配置している。図３に示す髭滓除去部材５の幅方向の両側端面は刃取付け部１６の両内側面に夫々設けられたばね１７に接続されており、このばね１７によって髭滓除去部材５を保持している。また上刃４ａと髭滓除去部材５との間及び下刃４ｂと髭滓除去部材５との間には夫々滑性の優れた滑り板１８が配設されており、この滑り板１８は髭滓除去部材５が幅方向に振動するようにガイドしている。
【００１７】
上記髭滓除去部材５の先端部は尖っており、髭滓除去部材５の先端部と２枚の刃４の間に隙間を形成している。髭滓除去部材５の基部側端面の中央部には図３、４に示すように縦長のカム収納溝１９が設けられている。
【００１８】
カム収納溝１９には偏心カム２０が設けられている。偏心カム２０の偏心軸２１は前述したモータ１０に接続しており、操作部にてモータ１０をＯＮにした場合、偏心カム２０がモータ１０の回転を髭滓除去部材５の幅方向（図３の矢印ロ方向）の振動に変換する。上記偏心カム２０、モータ１０、スイッチ回路１２、電池１１、操作部とで振動発生装置を構成している。
【００１９】
上記安全カミソリにて髭を剃る場合は、肌当て面１４に肌を沿わせた状態で安全カミソリをスライドさせる。この場合、カミソリによって肌を傷付けることなく髭を剃ることができる。
【００２０】
上記のように髭を剃った後は刃４と刃４の間に髭滓や、皮膚の角質、皮脂等の肌の汚れ（以下髭滓等の汚れ）が入り、またこの髭滓等の汚れが刃４の上下面や刃先６に付着してしまう。そこで本実施形態では以下のようにしてヘッド部１を水洗いし、髭滓等の汚れを除去する。髭滓等の汚れの除去は、ヘッド部１を水に漬けると共に、操作部を操作してモータ１０をＯＮにすることで行う。なおこの場合、髭滓除去部材５は前述したように合成樹脂によって成形されているため、錆びることがない。モータ１０をＯＮにすることで、前述したように髭滓除去部材５は幅方向に振動する。すなわち、刃４の幅方向と平行に振動することとなる。このように水に漬けられた髭滓除去部材５が振動することで、刃４と刃４の間の水は振動し且つ対流を起こし、この水の振動と対流によって刃４の上下面や刃先６に付着した髭滓等の汚れや、刃４と刃４の間に溜まった髭滓等の汚れを除去することができる。また上記のように振動発生装置によって髭滓除去部材５を振動させることができるため、操作部を操作するだけで簡単に髭滓等の汚れを除去することができる。
【００２１】
なお、上記では刃４と刃４の間に髭滓除去部材５を設けた例について説明したが、振動発生装置によって振動する髭滓除去部材５を刃台２と刃４の間の隙間乃至天板３と刃４の間の隙間の少なくてもどちらか一方の隙間に設けてもよく、この場合、髭剃り後に刃４と刃台２との間の隙間及び刃４と天板３との間の隙間に溜まった髭滓等の汚れを髭滓除去部材５の振動によって除去することができるものである。また、上記では刃取付け部１６に２枚の刃４を設けたいわゆる２枚刃の安全カミソリについての説明を記載したが、刃取付け部１６の上下方向における中央部付近に１枚だけ刃４を有するいわゆる１枚刃の安全カミソリの刃４と刃台２との間の隙間や刃４と天板３との間の隙間に髭滓除去部材５を設けても良く、また刃台２との間の隙間と刃４と天板３との間の隙間の両方に髭滓除去部材５を設けても良いものである。さらに刃取付け部１６に３枚以上の複数の刃４を設け、隣合う刃４間に複数の髭滓除去部材５を設けてもよいものである。
【００２２】
次に上記例とは異なる例について説明する。本例においては髭滓除去部材５の振動方向を刃４の厚み方向と平行に設定することに特徴があり、以下に示す説明では上記の例と重複する点については説明を省略する。
【００２３】
以下に具体的構成を示す。図５に示すように髭滓除去部材５の上下面は上刃４ａの下面と下刃４ｂの上面とに夫々設けられたばね１７に接続されており、このばね１７によって髭滓除去部材５を保持している。また上記例の滑り板１８は本例では設けられていない。
【００２４】
髭滓除去部材５の基部側端面の中央部には図６に示すように横長のカム収納溝１９が設けられている。このカム収納溝１９に設けられた偏心カム２０の偏心軸２１はモータ１０に接続しており、モータ１０をＯＮにした場合、偏心カム２０がモータ１０の回転を髭滓除去部材５の上下方向（図５矢印ハの方向）の振動に変換する。すなわち、髭滓除去部材５は刃４の厚み方向と平行に振動することとなる。
【００２５】
このように髭滓除去部材５を刃４の厚み方向と平行に振動させることで、髭滓除去部材５を刃４と平行な板状に形成した場合、髭滓除去部材５の最も面積の広い上下面で水を振動させ且つ対流させることができ、これによって髭滓除去部材５の最も面積の広い面で効率良く水を攪拌させることができ、刃４の上下面や刃先４に付着した髭滓等の汚れをより一層除去することができる。
【００２６】
次に上記図２、図５に示した例とは更に異なる例を示す。本例においては、髭滓除去部材５に先端側に突出する櫛状歯７を複数設けたことに特徴がある。図８に示すように髭滓除去部材５を板状部２７と、板状部２７の先端部に設けた前方に突出する複数の櫛状歯７とで構成している。各櫛状歯７は板状部２７の前端面の厚み方向における全長に亘って設けられており、夫々の櫛状歯７は平行に設けられている。このような形状の髭滓除去部材５は櫛状歯７が２枚の刃先６間に位置するように配置されている。また髭滓除去部材５の振動方向は刃４の厚み方向と平行な方向以外の方向に振動するように設定されている。
【００２７】
上記のように２枚の刃４の髭滓除去部材５に先端側に突出する櫛状歯７を複数設けることで、複数の櫛状歯７によって複雑な流れで水を攪拌することができ、刃先６に付着した髭滓等の汚れをより多く除去することができる。また、特に髭滓除去部材５の振動方向を上記図２の例と同様に刃４の幅方向と平行に設定することが好ましい。このように滓除去部材５の振動方向を刃４の幅方向と平行に設定することで、櫛状歯７の最も面積の広い面で効率良く水を攪拌することができ、これによって刃先６に付着した髭滓等の汚れをより一層除去することができる。
【００２８】
次に上記図２、図５、図８に示した例とはさらに異なる例を示す。本例においては、髭滓除去部材５に刃４の厚み方向と平行に突出する凸部８を設けた点に特徴がある。図９に示すように先端部が尖った板状の髭滓除去部材５の上面に刃４の厚み方向と平行に突出する複数の凸部８を設け、各凸部８は前後方向の全長に亘って設けられている。各凸部８の前端部は図１０に示すように髭滓除去部材５の前端部よりもやや前方まで伸びている。また上記各凸部８は板状の髭滓除去部材５に部分メッキ等をすることで製造することができる。本例における髭滓除去部材５の振動方向は特に限定しない。
【００２９】
このように髭滓除去部材５に刃４の厚み方向と平行に突出する凸部８を設けることで、髭滓除去部材５上方の刃４と刃４の間の水を幅方向に対流させて複雑な流れで攪拌することができ、これによって刃４の上下面や刃先６に付着した髭滓等の汚れやより多く除去することができものである。
【００３０】
また、この場合、髭滓除去部材５の振動方向を刃４の幅方向と平行に設定することが好ましい。このように、髭滓除去部材５の振動方向を刃４の幅方向と平行に設定することで、振動方向と垂直な面の面積が大きくなり、刃４に付着した髭滓等の汚れをより一層除去することができる。
【００３１】
なお本例では髭滓除去部材５の上面にのみ凸部８を設けた実施形態について説明したが、髭滓除去部材５の下面にのみ凸部８を設けてもよいし、また上下面の両面に凸部８を設けても良いものである。
【００３２】
また、上記図９に示す髭滓除去部材５を図１２に示すように波板状に形成してもよい。この場合、髭滓除去部材５の振動方向は幅方向に設定されている。このように髭滓除去部材５を形成することで髭滓除去部材５の水と接触する面積を大きくすることができ、より一層水を攪拌することができる。
【００３３】
【発明の効果】
上記のように本発明の請求項１記載の発明にあっては、振動発生装置によって振動する髭滓除去部材を設けることで、ヘッド部を水洗いする際に、ヘッド部を水中に浸し髭滓除去部材を振動させるだけで刃付近の水を振動させ且つ対流させて攪拌することができ、これによって刃に付着した髭滓等の汚れを簡単に除去することができる。また振動発生装置はヘッド部を振動させず髭滓除去部材のみを振動させるので、振動発生装置から伝わる振動を損失なく水の攪拌に伝えることができ、より一層刃に付着した髭滓等の汚れを除去することができる。また、髭滓除去部材を刃と平行な板状に形成し、髭滓除去部材を刃の厚み方向と平行に振動させることで、髭滓除去部材の最も面積の広い面で効率良く水を攪拌させることができ、刃に付着した髭滓等の汚れをより一層除去することができる。
【図面の簡単な説明】
【図１】  本発明の実施の形態の一例を示す断面図である。
【図２】  一例のヘッド部の断面図である。
【図３】  図２のＡ−Ａ断面図である。
【図４】  図３の一部拡大図である。
【図５】  図１のヘッド部の断面図である
【図６】  図５のＢ−Ｂ断面図である。
【図７】  図６の一部拡大図である。
【図８】  髭滓除去部材に櫛状歯を設けた例を示す斜視図である。
【図９】  髭滓除去部材に凸部を設けた実施形態を示すものであり、（ａ）は平面図、（ｂ）は側面図、（ｃ）は（ａ）のＤ−Ｄ断面図である。
【図１０】  図９（ａ）のＣ部拡大図である。
【図１１】  図９（ｃ）の一部拡大図である。
【図１２】  髭滓除去部材を波板状に形成した例を示す斜視図である。
【図１３】  従来の安全カミソリを示す斜視図である。
【図１４】  同上の断面図である。
【符号の説明】
１  ヘッド部
２  刃台
３  天板
４  刃
５  髭滓除去部材
６  刃先
７  櫛状歯
８  凸部
【図１】
0004442075.tif 000002
【図２】
0004442075.tif 000003
【図３】
0004442075.tif 000004
【図４】
0004442075.tif 000005
【図５】
0004442075.tif 000006
【図６】
0004442075.tif 000007
【図７】
0004442075.tif 000008
【図８】
0004442075.tif 000009
【図９】
0004442075.tif 000010
【図１０】
0004442075.tif 000011
【図１１】
0004442075.tif 000012
【図１２】
0004442075.tif 000013
【図１３】
0004442075.tif 000014
【図１４】
0004442075.tif 000015